(57)【要約】  【課題】  環境の改善を図り、また適宜に藻類や苔類などの付着生長とそれに伴う魚類などの生育を得しめ、しかも、比較的低コストで生態系の保全や復元に役立つ水路を形成するためのプレキャストコンクリートブロックを提供する。  【解決手段】  断面Ｕ型又は断面Ｌ型の側壁２を垂直又は外側に傾斜させて形成したコンクリートブロックの底版１と側壁２とに、水路と交差する方向の流向版３と水流に沿う流沿版４とからなる邪魔版５で形成され、水路断面積を縮小可能な水流抑制壁６を設けた。  【選択図】  図１
2006009247.tif 000002
【特許請求の範囲】
【請求項１】
断面Ｕ型又は断面Ｌ型の側壁を垂直又は外側に傾斜させて形成したコンクリートブロックの底版と側壁とに、水路と交差する方向へ、水路断面積を縮小可能な水流抑制壁を設けたことを特徴とする水路用プレキャストコンクリートブロック。
【請求項２】
前記水流抑制壁は流水に対向する流向版と、これと一体に形成されて流水に沿う流沿版とからなる邪魔版であることを特徴とする請求項１に記載の水路用プレキャストコンクリートブロック。
【請求項３】
前記水流抑制壁は多孔質コンクリートからなることを特徴とする請求項１又は請求項２のいずれか１つに記載の水路用プレキャストコンクリートブロック。
【請求項４】
前記水流抑制壁は前記側壁の片側若しくは両側壁に設置されて石礫を水流に逆らって保持し、該石礫に藻類や水生植物等が付着できることを特徴とする請求項１から請求項３のいずれか１つに記載の水路用プレキャストコンクリートブロック。
【請求項５】
前記水流抑制壁は前記側壁の片側において互いにＬ型の邪魔版を向き合わせ設置してそれらでワンドを形成できるようにしたことを特徴とする請求項１から請求項４のいずれか１つに記載の水路用プレキャストコンクリートブロック。
【請求項６】
前記水流抑制壁は底版と側壁の一方又は両方に、接着剤、ボルト、ガイドピン若しくは嵌合式にて結合されていることを特徴とする請求項１から請求項５のいずれか１つに記載の水路用プレキャストコンクリートブロック。
【発明の詳細な説明】
【技術分野】
【０００１】
この発明は水路用プレキャストコンクリートブロックに関し、とりわけ、河川改修に際し自然環境の再生を企図できるものである。
【背景技術】
【０００２】
河川の改修は自然環境を極力損傷・破壊することなしに、如何に人類に都合よく改修するかが公共的な立場の見解となってきた現在において、従来の河川改修工事は見直しがなされ、よりよく改善すべき旨の公通達がなされている。
【０００３】
とりわけ、河川断面をプレキャストコンクリートブロックにより全面的に造成することについては、生態系の破壊が著しいので、生態系の保存をすべき配慮に優れた技術が要請されている。
【０００４】
そこで、下記の公報記載の発明では、環境の改善を図り、また適宜に藻類や苔類などの付着生長とそれに伴う魚類などの生育を得しめ、しかも、比較的低コストで生態系の保全や復元に役立つ水路を形成するためのプレキャストコンクリートブロック等を、開示している。
【特許文献１】特開平９−２４２０４８号
【発明の開示】
【発明が解決しようとする課題】
【０００５】
しかしながら、上記公開公報記載の発明では、断面Ｕ型又は断面Ｌ型の側壁を垂直又は外側に傾斜させて形成したコンクリートブロックの底版を側壁厚よりも厚く形成し、底面全面に亘る大きな凹部や切り込み部又は複数の凹部や切り込み部に分割して形成し、凹部で形成される底穴部に石礫を介在させ、それらの石礫に藻類や水生植物が付着繁茂するようにしているが、底穴部に介在する石礫に、流水により運ばれた土砂が滞留して石礫の目詰りを起し、酸素の供給具合が低下してしまい、終に酸素の供給が全く行われなくなって、藻類や水生植物の死滅をもたらし、その効用を果たさなくなってくる。或いは、雨後や台風の影響などにより流水量が多くなった際に石礫が流失してしまうなどの欠点を有するものと見られる。
【０００６】
また、上記公開公報記載の発明では、断面Ｕ型又は断面Ｌ型の側壁を垂直又は外側に傾斜させて形成し、底面全面に亘る大きな凹部や切り込み部又は複数の凹部や切り込み部に分割して形成したコンクリートブロックの底版を側壁厚よりも厚く形成しているので、コンクリートブロック形成用型枠が複雑化してコストの高騰をもたらすと云う経済的欠点がある。
【０００７】
そこで、この発明は、上記公開公報の発明が有する欠点を全て解決し得る断面Ｕ型又は断面Ｌ型の側壁を垂直又は外側に傾斜させて形成したコンクリートブロックからなる水路用プレキャストコンクリートブロックを提供しようとするものである。
【課題を解決するための手段】
【０００８】
請求項１に記載の発明は、断面Ｕ型又は断面Ｌ型の側壁を垂直又は外側に傾斜させて形成したコンクリートブロックの底版と側壁とに、水路と交差する方向へ、水路断面積を縮小可能な水流抑制壁を設けたことを特徴としている。
【０００９】
したがって、水流抑制壁が水流を抑制してコンクリート水路に瀬と淵を保有させる。
【００１０】
請求項２に記載の発明は、前記水流抑制壁は流水に対向する流向版と、これと一体に形成されて流水に沿う流沿版とからなる邪魔版であることを特徴としている。
【００１１】
したがって、邪魔版としてＬ型又はカギ型のコンクリートブロックを始めとして、Ｊ型やコ型のコンクリートブロックを用いることができ、流向版が水流に交差して水を停滞させ、また、流沿版が停滞した水を囲むことで緩やかな淵を設定できる。
【００１２】
請求項３に記載の発明は、前記水流抑制壁は多孔質コンクリートからなることを特徴としている。
【００１３】
したがって、多孔質であるから、その孔に水流が滞留し若しくは土砂が詰まることで、水生生物の生息場所を形成できる。
【００１４】
請求項４に記載の発明は、前記水流抑制壁は前記側壁の片側若しくは両側壁に設置されて、石礫を水流に逆らって保持し、該石礫に藻類や水生植物等が付着できることを特徴としている。
【００１５】
したがって、水流抑制壁の少なくとも下流側には水流が抑制された淵が形成されるため、石礫を水流に逆らって保持し、該石礫に藻類や水生植物等が付着できる。そして、両側壁側に設けると水流を蛇行させることができ、瀬と渕の連続性を確保できる。
【００１６】
請求項５に記載の発明は、前記水流抑制壁は前記側壁の片側において互いにＬ型の邪魔版を向き合わせて設置してワンドを形成できることを特徴としている。
【００１７】
したがって、ワンドに石礫や土砂等が堆積して水生生物の生息場所を提供することができる。
【００１８】
請求項６に記載の発明は、前記水流抑制壁は底版と側壁の一方又は両方に、接着剤、ボルト、ガイドピン若しくは嵌合式にて結合されていることを特徴としている。
【００１９】
したがって、水流抑制壁は後付けできるため、水路用コンクリートブロックの製造に際し、新規な形枠を製作するまでも無く、従来の形枠をそのまま用いることができる経済性を有する。
【発明の効果】
【００２０】
したがって、この発明によれば、コンクリートブロックからなる水路に瀬と淵の連続性を保有させるとともに、水流に逆らって石礫や土砂を流失不能に保持することで、石礫や土砂に藻類を付着させ、かつ、水生植物を繁茂させるから、水生昆虫や魚類等の水生動物を生息可能にする自然的な環境が醸成されるというものである。
【発明を実施するための最良の形態】
【００２１】
以下、本発明に係る実施例につき図面を参照しながら説明する。
【００２２】
図１は断面Ｕ型の側壁を垂直に形成したコンクリートブロック、図２は断面Ｕ型の側壁を外側に傾斜（角度α）させて形成したコンクリートブロック、図３は断面Ｌ型の側壁を垂直に形成したコンクリートブロック、及び、図４は断面Ｌ型の側壁を外側に傾斜（角度α）させて形成したコンクリートブロックを示し、これらのコンクリートブロックは主として水路に用いられるもので、それらの底版１と側壁２はほぼ同じ肉厚を有して形成されたプレキャストコンクリートからなり、図１に代表して示すように、流水方向へ所定の長さＬ、側壁高さＨ及び底版長さＷを有する。
【００２３】
図１及び図２に示すコンクリートブロックは水路幅が底版長さＷとあまり大差ないものとなるが、図３及び図４に示すコンクリートブロックはその一対の底版１，１間に平版を介在し結合することで水路幅の広狭に合わせることができるものである。これらそれぞれのコンクリートブロックには、前記底版１と側壁２とに、流水に向き合う流向版３と流水に沿う流沿版４からなる邪魔版５で形成されて、水路断面積を縮小可能な水流抑制壁６を設けてある。かかるコンクリートブロックを用いた水路では流水方向Ｃに水が流れる。
【００２４】
邪魔版５は前記側壁２と底版１とに連結された平面視がＬ型又はカギ型のプレキャストコンクリート部材であって、その流向版３の長さＸと流沿版４の長さＹ及びこれらの高さＺはそれぞれ適宜寸法とするが、水流を大きく妨げて堰になるようでは逆効果である。すなわち、水流抑制壁６を設ける趣旨に沿った常識的な寸法とすることが肝要である。
【００２５】
邪魔版５はＬ型又はカギ型に限定されるものではなく、図示は省略するが平面視がＪ型やコ型であってもよく、とりわけ図５に示すように、流向版３ａが水流に対して斜めに指向され、流沿版４が水路中央部側へ張り出して形成されて流線型の形状に形成された邪魔版５ａとしてもよい。また、図６に示すように、直交する直版７，８の中央部に仕切版９を設けた邪魔版５ｂとしてもよい。したがって、この邪魔版５ｂは平面視がＴ型であるから、図示は省略するが、これを発展させた平面視がＥ型のものとしてもよい。
【００２６】
これらの邪魔版５，５ａ，５ｂは一つのコンクリートブロックの一方の側壁２側に少なくとも一カ所で設けられるが、両方の側壁２，２に向かい合わせ配置、若しくは千鳥状配置で設けてもよい。また、邪魔版５，５ａ，５ｂを一つのコンクリートブロックに併設してもよいが、図９のように邪魔版５，５ａ，５ｂを配置することは、瀬と渕の連続性を醸成できないので否定的であり、この図９は単に邪魔版５，５ａ，５ｂの平面視を表すものとする。要すれば、図１０に示すように、瀬Ａと渕Ｂの連続性が形成され、水流Ｆが緩やかに蛇行するように配置することである。
【００２７】
さらには、図７に示すように、Ｌ型又はカギ型の一対の邪魔版５，５を互いに向かい合わせて設けることにより、邪魔版５，５間にワンド１０が形成されるようにしてもよい。勿論、このワンド１０を形成する邪魔版５，５は一つのコンクリートブロックの一方の側壁２側に少なくとも一カ所で設けられるが、両方の側壁２，２に向かい合わせ配置、若しくは千鳥状配置で設けてもよい。また、ワンド１０を形成する邪魔版５，５とワンド１０を形成しない邪魔板５を一つのコンクリートブロックに併設してもよい。
【００２８】
なお、邪魔版５，５ａ，５ｂは多孔質コンクリートからなるものとしてもよい。多孔質コンクリートは、水は勿論のこと土砂や石礫を水流に逆らって保持収容することができる程度の孔を有することが肝要である。邪魔版５，５ａ，５ｂが有する多数の孔は、水は勿論のこと土砂や石礫を水流に逆らって保持収容することができるため、水生生物の棲み家を提供することができるというものである。したがって、この多孔質コンクリートは底版１や側壁２に用いても良い。
【００２９】
水流抑制壁６の配置施工には、邪魔版５，５ａ，５ｂを側壁２と底版１にモルタルセメント等の接着剤を用いて接着し、または、ボルトやガイドピンを用いて結合する。ボルトやガイドピンは、邪魔版５，５ａ，５ｂの型枠成形時にインサート方式でコンクリートに埋め込み成形される。これらのボルトやガイドピンを結合するインサートナットやピン孔を底版１や側壁２に設ける。また、型枠の複雑化は免れないが、邪魔版５，５ａ，５ｂの底版１と側壁２に接する部位に、適宜の凸凹部を形成し、この凸凹部が嵌合する凹凸部を底版１と側壁２にそれぞれ形成する嵌合方式も可能である。
【００３０】
かくして、図１０に示すように、流向版３，３ａが水流Ｆを抑制し、流沿版４，４が水流Ｆを仕切り流向版３と側壁２側に停滞させて水流Ｆを蛇行させるので、コンクリートブロックからなる水路に瀬Ａと淵Ｂの連続性を保有させるとともに、水流Ｆに逆らって石礫１１や土砂１２を流失不能に保持することで、例えば図１１に示すように、水流抑制壁６を設けた断面Ｕ型の側壁２を外側に傾斜させて形成したコンクリートブロックと、水流抑制壁６を有しない断面Ｕ型の側壁２を外側に傾斜させて形成したコンクリートブロックの一対とを基礎１８上に敷設し、それらの底板１間に場所打ちコンクリート１６を施してなる水路１７において、石礫１１や土砂１２に藻類１３を付着させ、かつ、水生植物１４を繁茂させるから、水生昆虫や魚類１５等の水生動物を生息可能にする自然的な環境が醸成されるというものである。
【図面の簡単な説明】
【００３１】
【図１】本発明にかかる水路用プレキャストコンクリートブロックであって、断面Ｕ型の側壁を垂直に形成したコンクリートブロックに水流抑制壁を設けた例を示す斜視図である。
【図２】本発明にかかる水路用プレキャストコンクリートブロックであって、断面Ｕ型の側壁を外側に傾斜させて形成したコンクリートブロックに水流抑制壁を設けた例を示す斜視図である。
【図３】本発明にかかる水路用プレキャストコンクリートブロックであって、断面Ｌ型の側壁を垂直に形成したコンクリートブロックに水流抑制壁を設けた例を示す斜視図である。
【図４】本発明にかかる水路用プレキャストコンクリートブロックであって、断面Ｌ型の側壁を外側に傾斜させて形成したコンクリートブロックに水流抑制壁を設けた例を示す斜視図である。
【図５】本発明にかかる水路用プレキャストコンクリートブロックであって、断面Ｌ型の側壁を外側に傾斜させて形成したコンクリートブロックに水流抑制壁を設けた他の例を示す斜視図である。
【図６】本発明にかかる水路用プレキャストコンクリートブロックであって、断面Ｌ型の側壁を外側に傾斜させて形成したコンクリートブロックに水流抑制壁を設けた他の例を示す斜視図である。
【図７】本発明にかかる水路用プレキャストコンクリートブロックであって、断面Ｌ型の側壁を外側に傾斜させて形成したコンクリートブロックに水流抑制壁を設けた更に他の例を示す斜視図である。
【図８】本発明にかかる水路用プレキャストコンクリートブロックであって、断面Ｌ型の側壁を外側に傾斜させて形成したコンクリートブロックに水流抑制壁を設けた更に他の例を示す斜視図である。
【図９】本発明にかかる水路用プレキャストコンクリートブロックの一例を示す平面図である。
【図１０】本発明にかかる水路用プレキャストコンクリートブロックの他の例を示す平面図である。
【図１１】本発明にかかる水路用プレキャストコンクリートブロックで形成した水路の下流側から見た横断面図である。
【符号の説明】
【００３２】
Ａ…瀬
Ｂ…渕
Ｃ…水流方向
Ｆ…水流
１…底版
２…側壁
３…流向版
４…流沿板
５，５ａ，５ｂ…邪魔版
６…水流抑制壁
７，８…蝶版
９…仕切版
１０…ワンド
１１…石礫
１２…土砂
１３…藻類
１４…水性植物
１５…魚類
【図１】
2006009247.tif 000003
【図２】
2006009247.tif 000004
【図３】
2006009247.tif 000005
【図４】
2006009247.tif 000006
【図５】
2006009247.tif 000007
【図６】
2006009247.tif 000008
【図７】
2006009247.tif 000009
【図８】
2006009247.tif 000010
【図９】
2006009247.tif 000011
【図１０】
2006009247.tif 000012
【図１１】
2006009247.tif 000013